(57)【特許請求の範囲】
【請求項１】
土木構築物用壁面材に壁面材用アンカーの一端部が、該壁面材用アンカーの他端部側が該土木構築物用壁面材から離れるようにして取付けられ、該壁面材用アンカーの他端部に抵抗力を増大させる抵抗力増大手段が設けられている土木構築物用構築材において、
前記壁面材用アンカーが、その外周において保護層を有し、
前記土木構築物用壁面材に、前記壁面材用アンカーを取付けるための取付け穴が形成され、
前記取付け穴の開口周縁部に、面取りが施された面取り部が形成されている、
ことを特徴とする土木構築物用構築材。
【請求項２】
土木構築物用壁面材に壁面材用アンカーの一端部が、該壁面材用アンカーの他端部側が該土木構築物用壁面材から離れるようにして取付けられ、該壁面材用アンカーの他端部に抵抗力を増大させる抵抗力増大手段が設けられている土木構築物用構築材において、
前記壁面材用アンカーが、その外周において保護層を有し、
前記壁面材用アンカーの外周に、前記抵抗力増大手段と前記土木構築物用壁面材とにより挟持されつつ、前記保護層と共に可撓層が直列的に設けられ、
前記可撓層が、前記土木構築物用壁面材側に位置されて該土木構築物用壁面材に当接されている、
ことを特徴とする土木構築物用構築材。
【請求項３】
請求項２において、
前記可撓層が、前記土木構築物用壁面材から、前記壁面材用アンカーを埋設するべき胴込材の直径よりも短い長さの範囲に収められている、
ことを特徴とする土木構築物用構築材。
【請求項４】
請求項３において、
前記保護層が、止水性を確保する第１保護層と、該第１保護層の外周側において外力に抗する第２保護層とを備え、
前記可撓層と前記第２保護層とが、直列的に前記抵抗力増大手段と前記土木構築物用壁面材とにより挟持されている、
ことを特徴とする土木構築物用構築材。
【請求項５】
請求項１又は２において、
前記保護層が、止水性を確保する第１保護層と、該第１保護層の外周側において外力に抗する第２保護層とを備えている、
ことを特徴とする土木構築物用構築材。
【請求項６】
請求項５において、
前記第１保護層が、高密度ポリエチレン樹脂による樹脂被覆層とされ、
前記第２保護層が、鉄管をもって構成されている、
ことを特徴とする土木構築物用構築材。
【請求項７】
土木構築物用壁面材に壁面材用アンカーの一端部が、該壁面材用アンカーの他端部側が該土木構築物用壁面材から離れるようにして取付けられ、該壁面材用アンカーの他端部に抵抗力を増大させる抵抗力増大手段が設けられている土木構築物用構築材において、
前記壁面材用アンカーが、その外周において保護層を有し、
前記保護層が、止水性を確保する第１保護層と、該第１保護層の外周側において外力に抗する第２保護層とを備え、
前記抵抗力増大手段として、前記第１保護層外周に挿通されて移動可能とされる合成樹脂製ストッパパネルと、前記壁面材用アンカーの他端部において設けられて前記ストッパパネルが該壁面材用アンカーの他端部外方へ移動することを規制する移動規制部と、が備えられ、
前記第２保護層が、前記ストッパパネルよりも前記土木構築物用壁面材側において設けられ、
前記ストッパパネルが、前記壁面材用アンカーを中心とした前記移動規制部の周囲を収納する収納部を有している、
ことを特徴とする土木構築物用構築材。
【請求項８】
土木構築物用壁面材に壁面材用アンカーの一端部が取付けられ該壁面材用アンカーの他端部に抵抗力を増大させる抵抗力増大手段が設けられている土木構築物用構築材が複数用いられ、前記各土木構築物用構築材における土木構築物用壁面材が隣り合うように配設されつつ積み重ねられていると共に、該各土木構築物用構築材における壁面材用アンカー及び抵抗力増大手段が胴込材をもって埋設されている土木構築物において、
前記壁面材用アンカーが、その外周において保護層を有し、
前記土木構築物用壁面材に、前記壁面材用アンカーを取付けるための取付け穴が形成され、
前記取付け穴の開口周縁部に、面取りが施された面取り部が形成されている、
ことを特徴とする土木構築物。
【請求項９】
土木構築物用壁面材に壁面材用アンカーの一端部が取付けられ該壁面材用アンカーの他端部に抵抗力を増大させる抵抗力増大手段が設けられている土木構築物用構築材が複数用いられ、前記各土木構築物用構築材における土木構築物用壁面材が隣り合うように配設されつつ積み重ねられていると共に、該各土木構築物用構築材における壁面材用アンカー及び抵抗力増大手段が胴込材をもって埋設されている土木構築物において、
前記壁面材用アンカーが、その外周において保護層を有し、
前記土木構築物用構築材における壁面材用アンカーの外周に、前記抵抗力増大手段と前記土木構築物用壁面材とにより挟持されつつ、前記保護層と共に可撓層が直列的に設けられ、
前記可撓層が、前記土木構築物用壁面材側に位置されて該土木構築物用壁面材に当接されている、
ことを特徴とする土木構築物。
【請求項１０】
取付け穴が開口されていると共に該取付け穴の開口周縁部に面取りが施されている土木構築物用壁面材と、一端部が土木構築物用壁面材を取付けるための取付け端部とされ他端部に抵抗力を増大させる抵抗力増大手段が設けられている直線材と、筒状の保護管とを用意し、
前記保護管内に前記直線材を、該直線材の一端部側から挿通させて該直線材を該保護管から突出させ、
前記土木構築物用壁面材の取付け穴内に、接着剤を充填すると共に、前記保護管から突出する直線材を挿入する、
ことを特徴とする土木構築物用構築材の製造方法。
【請求項１１】
取付け穴が開口される土木構築物用壁面材と、一端部が土木構築物用壁面材を取付けるための取付け端部とされ他端部に抵抗力を増大させる抵抗力増大手段が設けられている直線材と、筒状の保護管と、筒状の可撓管とを用意し、
前記保護管及び前記可撓管内に前記直線材の一端部側を該保護管から挿通させて、該直線材を該可撓管から突出させ、
前記土木構築物用壁面材の取付け穴内に、接着剤を充填すると共に、前記可撓管から突出する直線材を挿入する、
ことを特徴とする土木構築物用構築材の製造方法。
【発明の詳細な説明】
【０００１】
【発明の属する技術分野】
本発明は、土木構築物用構築材、土木構築物及び土木構築物用構築材の製造方法に関する。
【０００２】
【従来の技術】
従来、護岸、擁壁等の土木構築物の構築においては、土木構築物用構築材として、箱状の土木構築物用壁面材や自然石に壁面材用アンカーの一端部を取付け、その壁面材用アンカーの他端部に抵抗力を増大させる抵抗力増大手段が設けたものを複数用意し、その各土木構築物用壁面材を、隣り合うように順次配設しつつ積み上げると共に壁面材用アンカーを略水平に配置し、その壁面材用アンカー及び抵抗力増大手段を栗石や割石等の胴込材をもって埋設するものがある。このものにおいては、各土木構築物用構築材により、土圧や流水力に抵抗できる強固な土木構築物を構築できると共に、動植物の生息空間を確保できることになる。
【０００３】
【発明が解決しようとする課題】
しかし、上記土木構築物においては、壁面材用アンカー及び抵抗力増大手段を栗石や割石等の胴込材をもって埋設するものであることから、胴込材の充填時に壁面材用アンカーが該胴込材により衝撃を受けるおそれがある。しかも、埋設された胴込材中においては、雨水等が浸透することになり、壁面材用アンカーは、その浸透水等（浸透中に物質が溶解したものも含む）に接触するおそれがある。
【０００４】
本発明は以上のような事情を勘案してなされたもので、その第１の技術的課題は、壁面材用アンカーが埋設時に損傷することを防止できると共に使用に伴い腐食することを防止できる土木構築物用構築材を提供することにある。
【０００５】
第２の技術的課題は、上記土木構築物用構築材を用いた土木構築物を提供することにある。
【０００６】
第３の技術的課題は、上記土木構築物用構築材の製造方法を提供することにある。
【０００７】
【課題を解決するための手段】
上記第１の技術的課題を達成するために本発明（請求項１の発明）にあっては、
土木構築物用壁面材に壁面材用アンカーの一端部が、該壁面材用アンカーの他端部側が該土木構築物用壁面材から離れるようにして取付けられ、該壁面材用アンカーの他端部に抵抗力を増大させる抵抗力増大手段が設けられている土木構築物用構築材において、
前記壁面材用アンカーが、その外周において保護層を有し、
前記土木構築物用壁面材に、前記壁面材用アンカーを取付けるための取付け穴が形成され、
前記取付け穴の開口周縁部に、面取りが施された面取り部が形成されている構成とされている。この請求項１の発明の好ましい態様としては、請求項５，６の記載の通りとなる。
また、上記第１の技術的課題を達成するために本発明（請求項２の発明）にあっては、
土木構築物用壁面材に壁面材用アンカーの一端部が、該壁面材用アンカーの他端部側が該土木構築物用壁面材から離れるようにして取付けられ、該壁面材用アンカーの他端部に抵抗力を増大させる抵抗力増大手段が設けられている土木構築物用構築材において、
前記壁面材用アンカーが、その外周において保護層を有し、
前記壁面材用アンカーの外周に、前記抵抗力増大手段と前記土木構築物用壁面材とにより挟持されつつ、前記保護層と共に可撓層が直列的に設けられ、
前記可撓層が、前記土木構築物用壁面材側に位置されて該土木構築物用壁面材に当接されている構成とされている。この請求項２の発明の好ましい態様としては、請求項３〜６の記載の通りとなる。
さらに、上記第１の技術的課題を達成するために本発明（請求項７の発明）にあっては、
土木構築物用壁面材に壁面材用アンカーの一端部が、該壁面材用アンカーの他端部側が該土木構築物用壁面材から離れるようにして取付けられ、該壁面材用アンカーの他端部に抵抗力を増大させる抵抗力増大手段が設けられている土木構築物用構築材において、
前記壁面材用アンカーが、その外周において保護層を有し、
前記保護層が、止水性を確保する第１保護層と、該第１保護層の外周側において外力に抗する第２保護層とを備え、
前記抵抗力増大手段として、前記第１保護層外周に挿通されて移動可能とされる合成樹脂製ストッパパネルと、前記壁面材用アンカーの他端部において設けられて前記ストッパパネルが該壁面材用アンカーの他端部外方へ移動することを規制する移動規制部と、が備えられ、
前記第２保護層が、前記ストッパパネルよりも前記土木構築物用壁面材側において設けられ、
前記ストッパパネルが、前記壁面材用アンカーを中心とした前記移動規制部の周囲を収納する収納部を有している構成とされている。
【０００８】
上記第２の技術的課題を達成するために本発明（請求項８の発明）にあっては、
土木構築物用壁面材に壁面材用アンカーの一端部が取付けられ該壁面材用アンカーの他端部に抵抗力を増大させる抵抗力増大手段が設けられている土木構築物用構築材が複数用いられ、前記各土木構築物用構築材における土木構築物用壁面材が隣り合うように配設されつつ積み重ねられていると共に、該各土木構築物用構築材における壁面材用アンカー及び抵抗力増大手段が胴込材をもって埋設されている土木構築物において、
前記壁面材用アンカーが、その外周において保護層を有し、
前記土木構築物用壁面材に、前記壁面材用アンカーを取付けるための取付け穴が形成され、
前記取付け穴の開口周縁部に、面取りが施された面取り部が形成されている構成とされている。
また、上記第２の技術的課題を達成するために本発明（請求項９の発明）にあっては、
土木構築物用壁面材に壁面材用アンカーの一端部が取付けられ該壁面材用アンカーの他端部に抵抗力を増大させる抵抗力増大手段が設けられている土木構築物用構築材が複数用いられ、前記各土木構築物用構築材における土木構築物用壁面材が隣り合うように配設されつつ積み重ねられていると共に、該各土木構築物用構築材における壁面材用アンカー及び抵抗力増大手段が胴込材をもって埋設されている土木構築物において、
前記壁面材用アンカーが、その外周において保護層を有し、
前記土木構築物用構築材における壁面材用アンカーの外周に、前記抵抗力増大手段と前記土木構築物用壁面材とにより挟持されつつ、前記保護層と共に可撓層が直列的に設けられ、
前記可撓層が、前記土木構築物用壁面材側に位置されて該土木構築物用壁面材に当接されている構成とされている。
【０００９】
上記第３の技術的課題を達成するために本発明（請求項１０の発明）にあっては、
取付け穴が開口されていると共に該取付け穴の開口周縁部に面取りが施されている土木構築物用壁面材と、一端部が土木構築物用壁面材を取付けるための取付け端部とされ他端部に抵抗力を増大させる抵抗力増大手段が設けられている直線材と、筒状の保護管とを用意し、
前記保護管内に前記直線材を、該直線材の一端部側から挿通させて該直線材を該保護管から突出させ、
前記土木構築物用壁面材の取付け穴内に、接着剤を充填すると共に、前記保護管から突出する直線材を挿入する構成としてある。
【００１０】
上記第３の技術的課題を達成するために本発明（請求項１１の発明）にあっては、
取付け穴が開口される土木構築物用壁面材と、一端部が土木構築物用壁面材を取付けるための取付け端部とされ他端部に抵抗力を増大させる抵抗力増大手段が設けられている直線材と、筒状の保護管と、筒状の可撓管とを用意し、
前記保護管及び前記可撓管内に前記直線材の一端部側を該保護管から挿通させて、該直線材を該可撓管から突出させ、
前記土木構築物用壁面材の取付け穴内に、接着剤を充填すると共に、前記可撓管から突出する直線材を挿入する構成としてある。
【００１１】
【発明の効果】
請求項１に記載された発明によれば、壁面材用アンカーの外周が保護層により覆われることから、胴込材の充填時に胴込材による外力を保護層が受け止めると共に、浸透水等が壁面材用アンカーに接触することを保護層が阻止することになる。このため、壁面材用アンカーが埋設時に損傷することを防止できると共に壁面材用アンカーが使用に伴い腐食することを防止できる土木構築物用構築材を提供できることになる。
また、土木構築物用壁面材に、壁面材用アンカーを取付けるための取付け穴が形成され、その取付け穴の開口周縁部に、面取りが施された面取り部が形成されていることから、最も大きな曲げモーメントが作用する土木構築物用壁面材付近において、壁面材用アンカーに応力が集中することを面取り部に基づき抑制することができることになる。
請求項２に記載された発明によれば、壁面材用アンカーの外周に、抵抗力増大手段と土木構築物用壁面材とにより挟持されつつ、保護層と共に可撓層が直列的に設けられ、可撓層が、土木構築物用壁面材側に位置されて該土木構築物用壁面材に当接されていることから、可撓層をもって、保護層の端面を土木構築物用壁面材から離すことができると共に、その部分の撓み性を弾性の範囲において強めることができることになり、壁面材用アンカーに、胴込材充填時に集中荷重が作用したとしても、可撓層を設けない場合に比して曲率半径の大きな撓みとすることができることになる。このため、胴込材充填時に、土木構築物用壁面材近傍において、壁面材用アンカーが折れ等の損傷を受けにくくすることができることになる。
請求項３に記載された発明によれば、可撓層が、土木構築物用壁面材から、壁面材用アンカーを埋設するべき胴込材の直径よりも短い長さの範囲に収められていることから、胴込材充填時に胴込材が可撓層をめがけてきても、土木構築物用壁面材と衝突して跳ね返されることになり、その胴込材が可撓層に衝突して壁面材用アンカーが損傷することを防止できることになる。
請求項４に記載された発明によれば、請求項３を前提として、保護層が、止水性を確保する第１保護層と、該第１保護層の外周側において外力に抗する第２保護層とを備え、可撓層と第２保護層とが、直列的に抵抗力増大手段と土木構築物用壁面材とにより挟持されていることから、前述の請求項３の作用効果に加えて、胴込材による外力、浸透水に対して第１、第２保護層が個別に対処することになり、その対処を効果的なものとすることができることになる。しかも、外力に対して強い第２保護層が第１保護層の外周側に位置することから、胴込材充填時における胴込材による外力から第１保護層を第２保護層により保護できることになり、胴込材中への壁面用アンカーの埋設後において、第１保護層が浸透水等に基づいて腐食することを長期に亘って防止できることになる。
【００１２】
請求項５に記載された発明によれば、保護層が、止水性を確保する第１保護層と、該第１保護層の外周側において外力に抗する第２保護層とを備えていることから、胴込材による外力、浸透水に対して第１、第２保護層が個別に対処することになり、その対処を効果的なものとすることができることになる。しかも、外力に対して強い第２保護層が第１保護層の外周側に位置することから、胴込材充填時における胴込材による外力から第１保護層を第２保護層により保護できることになり、胴込材中への壁面用アンカーの埋設後において、第１保護層が浸透水等に基づいて腐食することを長期に亘って防止できることになる。
【００１３】
請求項６に記載された発明によれば、第１保護層が高密度ポリエチレン樹脂による樹脂被覆層とされ、第２保護層が鉄管をもって構成されていることから、耐水性、耐薬品性（酸、アルカリ）、耐久性（耐熱性）に優れた性質を示す高密度ポリエチレン樹脂による樹脂被覆層により壁面材用アンカーの腐食を効果的に抑制することができる一方、外力に対して優れた強度性を示す鉄管をもって、第１保護層（高密度ポリエチレン樹脂による樹脂被覆層）が、壁面材用アンカーの埋設時に損傷することを防止できることになり、前記請求項５の作用効果を具体的に得ることができることになる。
【００１４】
【００１５】
【００１６】
【００１７】
請求項７に記載された発明によれば、抵抗力増大手段として、第１保護層外周に挿通されて移動可能とされる合成樹脂製ストッパパネルと、壁面材用アンカーの他端部において設けられて前記ストッパパネルが該壁面材用アンカーの他端部外方へ移動することを規制する移動規制部と、が備えられ、第２保護層が、ストッパパネルよりも土木構築物用壁面材側において設けられ、ストッパパネルが、壁面材用アンカーを中心とした移動規制部の周囲を収納する収納部を有していることから、ストッパパネル自体は、その材質（合成樹脂）をもって腐食等から保護でき、ストッパパネルよりも土木構築物用壁面材側においては第１，第２保護層により腐食等から保護できることになる一方、移動規制部は、ストッパパネルの収納部により外力から保護できることになる。このため、移動規制部を、第１保護層によるだけでなく、ストッパパネルの収納部によっても損傷を防止して腐食が発生することを防止できることになる。
【００１８】
【００１９】
請求項８に記載された発明によれば、土木構築物用壁面材に壁面材用アンカーの一端部が取付けられ該壁面材用アンカーの他端部に抵抗力を増大させる抵抗力増大手段が設けられている土木構築物用構築材が複数用いられ、各土木構築物用構築材における土木構築物用壁面材が隣り合うように配設されつつ積み重ねられていると共に、該各土木構築物用構築材における壁面材用アンカー及び抵抗力増大手段が胴込材をもって埋設されている土木構築物において、壁面材用アンカーが、その外周において保護層を有し、土木構築物用壁面材に、壁面材用アンカーを取付けるための取付け穴が形成され、取付け穴の開口周縁部に、面取りが施された面取り部が形成されていることから、前記請求項１に係る土木構築物用構築材を用いて土木構築物を構築できることになる。
【００２０】
請求項９に記載された発明によれば、土木構築物用構築材における壁面材用アンカーの外周に、抵抗力増大手段と土木構築物用壁面材とにより挟持されつつ、保護層と共に可撓層が直列的に設けられ、可撓層が、土木構築物用壁面材側に位置されて該土木構築物用壁面材に当接されていることから、前記請求項２に係る土木構築物用構築材を用いて土木構築物を構築できることになる。
【００２１】
請求項１０に記載された発明によれば、取付け穴が開口されていると共に該取付け穴の開口周縁部に面取りが施されている土木構築物用壁面材と、一端部が土木構築物用壁面材を取付けるための取付け端部とされ他端部に抵抗力を増大させる抵抗力増大手段が設けられている直線材と、筒状の保護管とを用意し、保護管内に直線材を、該直線材の一端部側から挿通させて該直線材を該保護管から突出させ、土木構築物用壁面材の取付け穴内に、接着剤を充填すると共に、保護管から突出する直線材を挿入することから、保護管に基づき、土木構築物用構築材において、壁面材用アンカー外周に保護層を設けることができることになり、前記請求項１に係る土木構築物用構築材を簡単に製造できることになる。
【００２２】
請求項１１に記載された発明によれば、取付け穴が開口される土木構築物用壁面材と、一端部が土木構築物用壁面材を取付けるための取付け端部とされ他端部に抵抗力を増大させる抵抗力増大手段が設けられている直線材と、筒状の保護管と、筒状の可撓管とを用意し、保護管及び可撓管内に直線材の一端部側を該保護管から挿通させて、該直線材を該可撓管から突出させ、土木構築物用壁面材の取付け穴内に、接着剤を充填すると共に、可撓管から突出する直線材を挿入することから、保護管及び可撓管に基づき、土木構築物用構築材において、壁面材用アンカー外周に保護層及び可撓層を設けることができることになり、前記請求項４に係る土木構築物用構築材を簡単に製造できることになる。
【００２３】
【発明の実施の形態】
以下、本発明の実施形態について図面に基づいて説明する。
【００２４】
図１〜図１２は第１実施形態を示すものである。この第１実施形態においては、図１、図２に示すように、多数の土木構築物用構築材１を用いて、土木構築物としての護岸（例えば河川護岸）１５を施工した内容が示されている。
【００２５】
上記土木構築物用構築材１は、土木構築物用壁面材２としての自然石（以下、本実施形態においては符号２を用いる）と、壁面材用アンカー（以下、アンカーと称す）３とを備えている。
【００２６】
前記自然石２としては、玉石、割石、栗石等が用いられており、その圧縮強さは３０Ｎ／ｍｍ2以上とされ、その大きさは施工護岸に応じて適宜決められることになっている。具体的には、直径が１００〜５００ｍｍの範囲のものが好ましく、３００ｍｍ内外のものを用いるのがより好ましい。この自然石２は、土木構築物用構築材１の製造場所によって適宜決められることになっており、土木構築物用構築材１の製造場所が工場であるときには、施工すべき現場に存する自然石、その施工すべき現場に適した自然石等、任意の自然石が用いられ、土木構築物用構築材１の製造場所が施工現場であるときには、通常、その施工現場に自然に存在する自然石が用いられる。勿論、施工現場で土木構築物用構築材１を製造する場合において、その施工現場に適した自然石が存在しないときには、その施工現場に、その施工現場に適した自然石２が運び込まれる。
【００２７】
このような自然石２には、本実施形態においては、一つの取付け穴４（図６参照）が形成されている。取付け穴４は、自然石２のうちの裏面側とするべき個所において、ドリル等の加工具を用いて形成され、その取付け穴４は、自然石２の表面側にまで貫通しないことになっている。この取付け穴４の開口周縁部には、面取りが施されて面取り部４ａが形成されている。
【００２８】
前記アンカー３は、図１、図３に示すように、前記自然石２に連結されている。このアンカー３には、自然石２の使用時（積み上げ状態時）の移動（滑落）を防ぐべく、軸状部７と、移動規制部としてのカール部８と、ストッパパネル９とが備えられている。
【００２９】
上記軸状部７及びカール部８は、図３、図４、図７に示すように、直線材６により一体的に形成されている。直線材６は、強度、加工性等を考慮して、鉄線、鉄筋、パイプ等が好ましく、本実施形態においては、線径７ｍｍ程度の鉄線（アルミニウムを１０％程度含有）が用いられている。この直線材６の外周には、主として錆止めを目的として、予めメッキ層２１に加えて樹脂被覆層２２（第１保護層）が形成されている。メッキ層２１には、亜鉛アルミ合金を用いるのが好ましく、本実施形態においては、亜鉛アルミ合金メッキが、３００ｇ／ｍ2程度の付着量をもって直線材に施されている。樹脂被覆層２２には、オレフィン系樹脂を用いるのが好ましく、特に防錆効果を高める観点から本実施形態においては、高密度ポリエチレン樹脂がメッキ層２１上に５００μｍ程度の被膜厚さをもって施されている。
【００３０】
上記軸状部７は、図３、図４に示すように、通常、比較的長尺な状態をもって真っ直ぐに延びている（例えば０．５〜１．５ｍ程度、好ましくは０．５ｍ〜０．８ｍ程度）。このアンカー３の一端部（図４中、左端部）は、前記自然石２の取付け穴４に挿入されて、接着剤５（例えばエポキシ樹脂系、図６参照）を介して自然石２に接着されており、その軸状部７の他端部側は、自然石２から遠のくように延びることになっている。この場合、軸状部７の一端部と接着剤５との接着性を高める観点から、軸状部７の一端部（自然石２の取付け穴４に入る部分）には、樹脂被覆層２２は形成されず、メッキ層２１のみが形成されている。また、この場合、軸状部７の一端部外周に凹凸を形成して、接着剤５の硬化後、その硬化接着剤との係合関係が形成されるようにするのが好ましい。
【００３１】
前記カール部８は、図１、図３、図７に示すように、軸状部７の他端部がカ−ル状に巻かれて形成されている。このカール部８内には、内径３０ｍｍ前後の円状の孔が形成されており、その孔の形成後、そのアンカー３の他端部（湾曲終端部）は、巻き付け部１１として、溶接されることなく単に、軸状部７に巻かれることになっている。この場合、カール部８は、軸状部７の軸心を基準として対称形状をもって両側に膨らむように形成されており、巻き付け部１１は、そのカール部８の湾曲開始部１２に、その外周側において係合するように配設されている。特に巻き付け部１１は、本実施形態において、加工の容易性等の観点から、湾曲終了部１３と協働して軸状部７を挟むように単に略Ｕ字状に巻く構成とされており、巻き付け部１１は、カール部８の湾曲開始部１２に係合しない限り、軸状部７に案内されて該軸状部７の軸心方向に移動し得るようになっている。このため、巻き付け部１１にカール部８に向けて外力が作用したときには、巻き付け部１１は、該巻き付け部１１と軸状部７との案内効果に基づきカール部８の湾曲開始部１２に必ず係合（当接）されて移動が規制されることになっている（図６参照）。勿論、軸状部７と巻き付け部１１との案内、保持効果を高める観点からは、巻き付け部１１を複数回に亘って軸状部７に巻く（いわゆるコイル状に巻く）ようにしてもよい。
【００３２】
前記ストッパパネル９は、図３、図７、図８に示すように、その板面を軸状部７の延び方向に向けつつ該軸状部７に移動可能に保持されている。ストッパパネル９は、樹脂、例えばＡＢＳ樹脂を用いて、一辺が１５０ｍｍ前後、厚みが６ｍｍ前後とされた正方形状の合成樹脂板とされており、その中心部に挿通孔１４が形成されている。このストッパパネル９の挿通孔１４には、軸状部７が挿通されており、ストッパパネル９は、軸状部７を移動できる一方、カール部８によって移動が規制されることになっている。この場合、ストッパパネル９を介して外力がカール部８に作用したときには、巻き付け部１１がカール部８における湾曲開始部１２に係合して移動が規制されることになるため、ストッパパネル９は、カール部８に相当する大きさのリングを押しつぶして移動しない限り、移動することができず、カール部８は、軸状部７に溶接等がされていなくても、ストッパパネル９のストッパとして効果的に機能することになる。
【００３３】
前記軸状部７の外周には、図３、図６に示すように、ストッパパネル９と自然石２との間において、第２保護層を構成する保護管２３と可撓層を構成する可撓管２４とが嵌挿されている。保護管２３はストッパパネル９側に位置され、可撓管２４は自然石２側に位置されており、この保護管２３及び可撓管２４は、自然石とストッパパネル（カール部）とにより挟持されることになっている。このため、軸状部７は、保護管２３及び可撓管２４に覆われて外部に露出しないことになっている。
【００３４】
上記保護管２３は、外部からの外力（後述の胴込材１６等）から軸状部７を直接的に保護することを主目的するものであり、本実施形態においては、鉄管が用いられている。この保護管は、その強固な性質をもって軸状部７の大部分を覆っており、本実施形態においては、内径８ｍｍ程度、全長４４０ｍｍ程度、管厚０．５ｍｍのものが用いられている。
【００３５】
上記可撓管２４は、図９の仮想線に示すように、保護管２３の端面を自然石２からある程度離すと共に軸状部７を弾性が維持される範囲で補強して、曲げ力が作用しても曲率半径ができるだけ大きくなるようにし、軸状部７が自然石２近傍でも折れにくくするために設けられており、本実施形態においては、可撓管２４として、軟質管（例えばゴム管、紙管（コーティングされたもの等）等）が用いられている。これに対して、同じく図９の一点鎖線に示すように、保護管２３として鉄管のような強固な管だけを用いて軸状部７を保護すると、曲げ力がアンカー３に作用したとき、軸状部７は、保護管２３の存在するところでは曲がらない一方、保護管２３の外部において保護管２３の内周縁部と軸状部７との当接部付近を支点として曲がることになり、そのときにはその位置は自然石２に近接し、そこでは、曲げモーメントが大きくなって（最大曲げモーメントに基づき）折れやすくなる。このため、これに対処するために、上述のように、自然石２から一定距離の間に可撓管２４を存在させる好ましい構成が採られている。
【００３６】
この場合、可撓管２４は、自然石２に一端が当接されてその自然石２から後述の胴込材１６（アンカー３を埋設するために用いるもの）の直径よりも短い長さの範囲で存在されている。これは、可撓管２４の全長を、自然石２から胴込材１６の直径よりも短い長さの範囲に収まるようにすることにより、胴込材１６の充填時に、胴込材１６が可撓管２４に飛んできても、胴込材１６を自然石２に先に当て、可撓管２４に当たらないようにしているのである。このため、可撓管２４の全長は、使用されている胴込材１６の直径が５０〜１５０ｍｍ程度であることを考慮し、５０ｍｍ程度とされている。
【００３７】
このような土木構築物用構築材１は、次のようにして製造される。
【００３８】
先ず、図１０に示すように、自然石２にドリル等の加工具を用いて取付け穴４を形成する。取付けるべきアンカー３（軸状部７）の一端部に対する汚れのない接着面積を増大させて、アンカー３と自然石２との一体化を強固にすると共に、接着剤５の硬化前にアンカー３を仮保持するためである。この場合、作業性の観点から、自然石２の裏面側が上方に向けられ、その自然石２の裏面側中央部に取付け穴４の加工が施される。
【００３９】
次に、図１１に示すように、前記取付け穴４を上方に向けつつその取付け穴４内に接着剤５を注入する。後の工程においてアンカー３と自然石２とを確実に接着するべく、一定量の接着剤５を取付け穴４内に確保するためである。
【００４０】
次に、図１２に示すように、軸状部７の一端部を前記自然石２の取付け穴３内に挿入する。取付け穴４内の接着剤５を介して自然石２と軸状部７の一端部とを接着して両者２、７を一体化するためである。勿論この場合、軸状部７の挿入は、接着剤５の硬化前に行われ、その際には、予め保護管２３と可撓管２４とは軸状部７に嵌合された状態とされる。
【００４１】
このとき、可撓管２４の端面を自然石２の取付け穴４の周縁部に当接させて圧縮させることが好ましい。可撓管２４の圧縮に基づく反発力を利用して、ストッパパネル９と自然石２との間において、可撓管２４と保護管２３とを密に装着することができることになり、軸状部７を胴込材１６から保護できるだけでなく、浸透水等が保護管２３内等に進入して軸状部７が浸透水等にさらされることも防ぐことができるからである。
【００４２】
この後、接着剤５を硬化させて、自然石２と軸状部７の一端部とを一体化し、当該土木構築物用構築材１を得ることになる。
【００４３】
上記土木構築物用構築材１を用いた護岸１５は、図１に示すように、基礎コンクリート１０から階段状に各土木構築物用構築材１の自然石２が順次、積み上げられている一方、各土木構築物用構築材１のアンカー３は胴込材１６内に埋設されている。具体的に、土木構築物用構築材１を使用した護岸１５の施工方法と、その施工方法により施工された護岸１５について説明する。
【００４４】
護岸１５の施工においては、多数の土木構築物用構築材１が、現状の岸に沿った各施工位置に、クレーン等により搬送具（図示略）を介して運ばれる。
【００４５】
このとき、アンカー３が比較的長尺であることから、多数の土木構築物用構築材１を束ねることが容易となり、また、カール部８内の孔を引っ掛け孔として利用できることになり、これに伴い、取り扱い、搬送を容易にすることができることになる。
【００４６】
施工位置に多数の土木構築物用構築材１が搬送されると、その土木構築物用構築材１は、図１、図２に示すように、自然石２を河川側に向けると共に岸の延び方向（図１中、紙面直角方向、図２中、左右方向）に隣り合うように配設しつつ、その岸の勾配に沿わせたり或いは必要な勾配をもって、基礎コンクリート１０から順次、階段状に積み上げられる。これにより、自然石２をもって保護壁が形成され、その自然石２間の隙間が、魚、水棲生物、植物等の生息、生育空間を確保することになる。
【００４７】
さらにこの各土木構築物用構築材１の積み上げにおいては、最上段となっているアンカー３及びストッパパネル９上に砕石、胴込栗石、現場発生材等の胴込材１６が自然石２の高さまで盛られ、載置面が形成される。これにより、積み上げるべき次の土木構築物用構築材１の安定した載置面が確保されて、土木構築物用構築材１の積み上げ作業の円滑化が図られると共に、軸状部７と胴込材１６との抵抗力、互いに係合状態にある胴込材１６に対するストッパパネル９板面の係合に基づく河川側への移動抵抗が得られ、アンカー３の保持状態を高めて、自然石２の滑落（移動）が防止されることになる。勿論このとき、アンカー３は、保護管２３等に基づき胴込材１６から保護される。
【００４８】
特に上記施工においては、自然石２の滑落を一層防止する観点から、アンカー３及びストッパパネル９上に胴込材１６を盛った際に、外部（上部）からローラ等により圧力を加えること（転圧）により胴込材１６の密度を高め、胴込材１６とアンカー３及びストッパパネル９との抵抗力（ストッパパネル９の移動抵抗を含む）を高めることが好ましい。尚、図１中、符号１７は、土砂等の吸い出しを防止する吸い出し防止シートである。
【００４９】
このような施工の結果、図１に示すように、各土木構築物用構築材１の自然石２が護岸壁面（保護壁）を構成する護岸１５が形成されることになり、その護岸１５においては、強固でありながら、水棲生物、植物等を生育させることができることになる。
【００５０】
図１３は第２実施形態を示す。この第２実施形態において、前記１実施形態と同一構成要素については同一符号を付してその説明を省略する。
【００５１】
図１３に示す第２実施形態は、ストッパパネル９の変形例を示すものである。この実施形態に係るストッパパネル９の中央部には、収納部として膨出部２５が形成されている。この膨出部２５は、自然石２側に向けて膨出されており、その膨出部２５が形成する空間内には、カール部８が収容されている。これにより、胴込材料の充填時に、カール部８もストッパパネル９により保護されることになり、胴込材１６の充填に際して、カール部８が傷つくことに基づき腐食が生じることを確実に防止できることになる。
【００５２】
以上実施形態について説明したが本発明においては、次のようなものを包含する。
（１）土木構築物用壁面材として、自然石２に限らず、人造石（廃プラスチック、廃アスファルト、焼却灰等の廃棄物再生石）、コンクリートブロック（擬石、擬木等を含む）、木を用いて形成したもの（例えば木を組んで自然石を形成したようなもの）、収容容器（植物生育用ポット）等を用いること。
（２）アンカー３における一端部において、曲げても曲率半径が大きくなり折れにくいことを利用し、自然石２の積み上げ時のすわりを調整する必要がある場合等に、アンカー３の一端部に対してその他の部分を４５°の範囲内において曲げ調整すること。
（３）自然石２における取付け穴内４にナットを固定する一方、アンカーの一端部に雄ねじ部を形成し、そのアンカーの一端部の雄ねじ部を自然石２内のナットに螺合することにより、自然石２とアンカー３とを一体化すること。
（４）土木構築物用壁面材２に対するアンカー３の取付けにおいて、接着剤５に代えて、拡張アンカー（金属、樹脂等）を用いること。
（５）カール部８の孔の形状としては、円形に限らず、楕円、矩形等の非円形のものが含まれること。
（６）土木構築物用壁面材２を取付けるための取付け端部としてのアンカー３の一端部は、直接、土木構築物用壁面材２に取付ける他に、間接的に土木構築物用壁面材２に取付ける態様を含んでいること。このため、例えば土木構築物用壁面材２に連結具が取付けられている場合には、その連結具を介して土木構築物用壁面材２にアンカー３の一端部が連結されることになる。勿論このとき、その連結具とアンカー３の一端部とは、周知の手段により、連結される構成とされる。
（７）ストッパパネル９に代えて、コンクリ−ト板、鉄板等の種々のものを用いること。
（８）胴込材１６に、コンクリ−ト廃棄物等の廃棄物を用いること。
（９）土木構築物として、擁壁等を構築すること。
（１０）土木構築物用構築材１の抵抗力増大手段として、胴込材１６中に鉄筋又は金網を起立するように埋設し、その鉄筋又は金網にアンカー３の他端部（カール部８等）を連結する構成とすること。この場合、抵抗力を増加させる等の観点から、鉄筋又は金網の下端部を基礎コンクリート１０に対して埋設等により固定することが好ましい。
【００５３】
尚、本発明の目的は、明記されたものに限らず、実質的に好ましい或は利点として記載されたものに対応したものを提供することをも暗黙的に含むものである。
【図面の簡単な説明】
【図１】第１実施形態に係る河川護岸を説明する説明図。
【図２】第１実施形態に係る河川護岸を示す正面図。
【図３】第１実施形態に係る土木構築物用構築材を説明する説明図。
【図４】第１実施形態に係る土木構築物用構築材のアンカー部分における拡大縦断面図。
【図５】図４のＡ−Ａ線拡大断面図。
【図６】第１実施形態に係る土木構築物用構築材において、自然石とアンカーとの取付け関係を示す拡大縦断面図。
【図７】第１実施形態に係る土木構築物用構築材において、ストッパパネル、カール部、保護管等の関係を示す拡大説明図。
【図８】図７の右側面図。
【図９】軸状部の曲げに対する可撓管、保護管の作用を説明する説明図。
【図１０】第１実施形態に係る土木構築物用構築材の製造工程を説明する図。
【図１１】図１０の製造工程に続く製造工程を説明する図。
【図１２】図１１の製造工程に続く製造工程を説明する図。
【図１３】第２実施形態に係る土木構築物用構築材を示す部分拡大説明図。
【符号の説明】
１ 土木構築物用構築材
２ 土木構築物用壁面材（自然石）
３ アンカー
４ 取付け穴
７ 軸状部
８ カール部
９ ストッパパネル
１５ 護岸
１６ 胴込材
２２ 樹脂被覆層
２３ 保護管
２４ 可撓管
【図１】
0004526697.tif 000002
【図２】
0004526697.tif 000003
【図３】
0004526697.tif 000004
【図４】
0004526697.tif 000005
【図５】
0004526697.tif 000006
【図６】
0004526697.tif 000007
【図７】
0004526697.tif 000008
【図８】
0004526697.tif 000009
【図９】
0004526697.tif 000010
【図１０】
0004526697.tif 000011
【図１１】
0004526697.tif 000012
【図１２】
0004526697.tif 000013
【図１３】
0004526697.tif 000014